(57)【要約】【課題】  従来の広告情報を印刷する等したポケットティッシュでは、十分な内容の広告を表示できなかったり、表示内容自体が単調であったりして、ポケットティッシュを受け取った人に広告内容を印象付けることができず、広告効果が薄かった。【解決手段】  積層された複数枚のティッシュペーパー２が、フィルム状の包装材３にて包装されたポケットティッシュ１であって、包装材３が、積層されたティッシュペーパー２の一面側では一面側フィルム３１の一重に、他面側では他面側外フィルム３２と他面側内フィルム３３との二重に重ねられており、少なくとも、他面側で二重に重ねられた他面側外フィルム３２と他面側内フィルム３３との両方に広告情報が掲載されている。【選択図】  図３
2005065962.tif 000002
【特許請求の範囲】
【請求項１】
積層された複数枚のティッシュペーパーが、フィルム状の包装材にて包装されたポケットティッシュであって、
包装材が、積層されたティッシュペーパーの一面側では一重に、他面側では二重に重ねられており、
少なくとも、他面側で二重に重ねられた内側フィルムと外側フィルムとの両方に広告情報が掲載されていることを特徴とするポケットティッシュ。
【請求項２】
前記他面側の内側フィルムと外側フィルムとの間には、広告情報が掲載された広告媒体が差し込まれていることを特徴とする請求項１に記載のポケットティッシュ。
【請求項３】
外側フィルムに掲載される広告情報と広告媒体に掲載される広告情報とで第一の広告内容を構成し、内側フィルムに掲載される広告情報と外側フィルムに掲載される広告情報とで第二の広告内容を構成することを特徴とする請求項２に記載のポケットティッシュ。
【請求項４】
前記第一の広告内容と第二の広告内容とは、外観的、称呼的、及び／又は観念的に関連性を有することを特徴とする請求項３に記載のポケットティッシュ。
【請求項５】
積層された複数枚のティッシュペーパーを包装する包装材であって、
該ティッシュペーパーを包装した状態では、ティッシュペーパーの一面側で一重に、他面側で二重に重ねられており、二重に重ねられる他面側の内側フィルムの部分と外側フィルムの部分との両方に広告情報が掲載されていることを特徴とするポケットティッシュの包装材。
【発明の詳細な説明】
【技術分野】
【０００１】
本発明は、積層された複数枚のティッシュペーパーを包装するフィルム状の包装材に広告情報が掲載されたポケットティッシュ及びその包装材に関する。
【背景技術】
【０００２】
従来から、積層された複数枚のティッシュペーパーがフィルム状の包装材でポケットサイズに包装された、ポケットティッシュが知られている。
また、包装材に広告情報を印刷したり、広告情報を印刷した紙片を包装材内に差し込んだりしたポケットティッシュを、商品や企業の広告媒体として街角等で無償配布することが多く行われている。
このように、包装材に広告情報を印刷する等したポケットティッシュとしては、例えば、特許文献１の第二の実施形態として示されるものがある。
【０００３】
【特許文献１】特開２００３−８１３６５号公報
【発明の開示】
【発明が解決しようとする課題】
【０００４】
しかし、前述の特許文献１に記載されるポケットティッシュの包装材においては、フィルムが一重になった面（特許文献１の上面１０２に相当）、及びフィルムが二重に重ねられた面の外側のフィルム面（特許文献１の底面１０７に相当）にのみ広告情報が表示されていた。
また、広告情報を印刷した紙片を、二重に重ねられたフィルムの間に差し込んだものは、フィルムが一重になった面のみに広告情報が表示されていたり、包装材のフィルムには広告情報が表示されていなかったりしていた。
【０００５】
このように、包装材のフィルムが二重に重ねられた面における外側のフィルム面のみに広告情報が表示した場合や、二重に重ねられたフィルムの間に紙片を差し込んだだけの場合では、広告情報を表示する面積に限りがあって、十分な内容の広告を表示できなかった。また、表示内容自体も単調で、ポケットティッシュを受け取った人に広告内容を印象付けることができず、広告効果が薄かった。
【課題を解決するための手段】
【０００６】
上記課題を解決する本発明のポケットティッシュ及びその包装材は、以下の特徴を有する。
即ち、請求項１記載の如く、積層された複数枚のティッシュペーパーが、フィルム状の包装材にて包装されたポケットティッシュであって、包装材が、積層されたティッシュペーパーの一面側では一重に、他面側では二重に重ねられており、少なくとも、他面側で二重に重ねられた内側フィルムと外側フィルムとの両方に広告情報が掲載されている。
これにより、他面側の外側フィルム又は内側フィルムの何れか一方のみに広告情報を掲載して広告内容を構成する場合に比べて、表現に奥行きを持たせることができる。
また、ティッシュペーパーを包装材で包装した状態のポケットティッシュを手で持つと、包装材が若干歪んで、他面側の外側フィルムと内側フィルムとの位置関係がずれるため、外側フィルムに掲載される図柄と内側フィルムに掲載される図柄との位置関係が変化して、他面全体の広告内容に不規則な変化や動きを与えることができて、需要者の注意及び興味を引く広告効果の高い広告内容を構成することができる。
【０００７】
また、請求項２記載の如く、前記他面側の内側フィルムと外側フィルムとの間には、広告情報が掲載された広告媒体が差し込まれている。
これにより、ティッシュペーパーを包装材で包装した状態のポケットティッシュを手で持つと、包装材が若干歪んで、他面側の外側フィルムと差し込んだ広告媒体との位置関係がずれるため、外側フィルムに掲載される図柄と広告媒体に掲載される図柄との位置関係が変化して、他面全体の広告内容に不規則な変化や動きを与えることができて、需要者の注意及び興味を引く広告効果の高い広告内容を構成することができる。
また、広告媒体を差し込んでいるときには、広告媒体と他面側の外側フィルムとで構成した広告内容を表現でき、広告媒体を抜き去ると、他面側の外側フィルムと他面側の内側フィルムとで構成した広告内容を表現することができるので、手の込んだ内容や表現豊かな内容の広告を行うことが可能となる。
【０００８】
また、請求項３記載の如く、外側フィルムに掲載される広告情報と広告媒体に掲載される広告情報とで第一の広告内容を構成し、内側フィルムに掲載される広告情報と外側フィルムに掲載される広告情報とで第二の広告内容を構成する。
このように、ポケットティッシュの他面だけで、多くの情報を含んだ広告を行うことが可能となり、ポケットティッシュを手にした需要者に広告内容を良く理解させたり、印象付けたりすることができて、広告効果の高いポケットティッシュに構成することができる。
【０００９】
また、請求項４記載の如く、前記第一の広告内容と第二の広告内容とは、外観的、称呼的、及び／又は観念的に関連性を有する。
これにより、ポケットティッシュの他面において、前記広告媒体を差し込んだ状態と抜き取った状態とで、共通のイメージを持たせながら、広告内容の表現に変化を与えることができ、表現力豊かで需要者の注意や興味を引く、広告効果の高い広告を構成することができる。
【００１０】
また、請求項５記載の如く、積層された複数枚のティッシュペーパーを包装する包装材であって、該ティッシュペーパーを包装した状態では、ティッシュペーパーの一面側で一重に、他面側で二重に重ねられており、二重に重ねられる他面側の内側フィルムの部分と外側フィルムの部分との両方に広告情報が掲載されている。
これにより、他面側の外側フィルム又は内側フィルムの何れか一方のみに広告情報を掲載して広告内容を構成する場合に比べて、表現に奥行きを持たせることができる。
また、ティッシュペーパーを包装材で包装した状態のポケットティッシュを手で持つと、包装材が若干歪んで、他面側の外側フィルムと内側フィルムとの位置関係がずれるため、外側フィルムに掲載される図柄と内側フィルムに掲載される図柄との位置関係が変化して、他面全体の広告内容に不規則な変化や動きを与えることができて、需要者の注意及び興味を引く広告効果の高い広告内容を構成することができる。
【発明の効果】
【００１１】
本発明によれば、手の込んだ内容や表現豊かな内容の広告を行うことが可能となり、需要者の注意及び興味を引く広告効果の高い広告内容のポケットティッシュを構成することができる。
【発明を実施するための最良の形態】
【００１２】
次に、本発明を実施するための形態を、添付の図面を用いて説明する。
まず、本発明にかかるポケットティッシュ１の構造について説明する。
図１〜図３に示すように、ポケットティッシュ１は、積層状態の複数枚のティッシュペーパー２を包装材３にて包装して構成されている。
ティッシュペーパー２は、折り畳んだ状態で複数枚が積層されている。
【００１３】
包装材３は、樹脂フィルムなどの帯状のフィルム部材から構成されている。
この包装材３にてティッシュペーパー２を包装する際には、まず、所定の長さに切断された帯状フィルムである包装材３の略中央に、折り畳んで積層したティッシュペーパー２を載置する。
【００１４】
次に、包装材３の、載置されたティッシュペーパー２の短手方向における両端部を、それぞれティッシュペーパー２を包み込むように折り返す。
折り返してティッシュペーパー２を包んだ状態にある包装材３の、ティッシュペーパー２の長手方向における両端部を、熱溶着等にて接着した後、余分な部分を切断する。これにより、接着部３ａが形成される。
【００１５】
このように、ティッシュペーパー２を包装材３にて包装して構成されるポケットティッシュ１においては、包装材３が一重になっている面と、包装材３が二重に重ねられている面とが形成されることとなる。
以下の説明では、一重になっている一面側の包装材３を一面側フィルム３１と、二重に重ねられている他面側の包装材３の外側フィルムを、他面側外フィルム３２と、二重に重ねられている面の包装材３の内側フィルムを、他面側内フィルム３３と呼ぶ。
【００１６】
一面側フィルム３１にはミシン目３ｂが形成されており、このミシン目３ｂを破くことで、ティッシュペーパー２取り出し用の取り出し口となる。
【００１７】
他面側外フィルム３２と他面側内フィルム３３との間には、開口部３ｃが形成されており、他面側外フィルム３２と他面側内フィルム３３との間に、開口部３ｃから紙片５等を差し込むことが可能となっている。
【００１８】
ここで、図４には、ティッシュペーパー２を包装する包装材３を展開したものを示しているが、前記包装材３は基材が透明であり、一面側フィルム３１、他面側外フィルム３２、及び他面側内フィルム３３のそれぞれの部分に、広告情報が印刷されている。
また、図５に示すように、前記紙片５にも広告情報が印刷されている。
【００１９】
図６には、広告情報が印刷された包装材３によりティッシュペーパー２を包装して、前記開口部３ｃに紙片５を差し込んだ状態の、ポケットティッシュ１の他面側を示している。
ポケットティッシュ１の他面側は、紙片５を差し込んだ状態では、紙片５に掲載されている広告情報と、他面側外フィルム３２に掲載されている広告情報とで、一つの広告内容を構成している。
【００２０】
つまり、包装材３の基材となる樹脂フィルムは透明に構成されており、該包装材３の他面側外フィルム３２には、ポケットティッシュ１の他面における略下半分に相当する領域のみに広告情報が掲載されている。
また、開口部３ｃから差し込まれた紙片５には、全面にわたって広告情報が掲載されているが、略下半分に相当する領域の広告情報は、他面側外フィルム３２に掲載される広告情報に隠れて見ることができず、ポケットティッシュ１の他面における略上半分に相当する領域のみを見ることができる。
【００２１】
そして、ポケットティッシュ１の他面側においては、他面側外フィルム３２に掲載される広告情報と、紙片５に掲載される広告情報の内、他面側外フィルム３２により隠されていない部分の広告情報とを合わせて、一つの広告内容を構成するようにしている。
【００２２】
例えば、図５に示すように、紙片５にはビーチパラソル５ａ、キャラクター５ｂ、太陽５ｃ、及び文字による広告情報５ｄが掲載されている。
また、図４に示すように、包装材３の他面側外フィルム３２には、（ティッシュペーパー２を包装した状態での）略下半分の領域に文字による広告情報３２ｂが掲載されており、上下略中央には横波線３２ａが描かれている。
【００２３】
一方、図６に示すように、紙片５を開口部３ｃから差し込んだ状態では、紙片５の広告情報は、他面側外フィルム３２の横波線３２ａより上方の部分のみを見ることができる。
そして、ポケットティッシュ１の他面全体としては、他面側外フィルム３２の上下略中央に横波線３２ａ描かれており、この上方に、紙片５に掲載されているビーチパラソル５ａ及びキャラクター５ｂの略上半分が配置される構図となっている。
【００２４】
このポケットティッシュ１の他面の構図では、他面側外フィルム３２の横波線３２ａと、紙片５のビーチパラソル５ａとで海や砂浜を表現しており、さらにキャラクター５ｂを加えて、キャラクター５ｂが砂浜を歩いている様子を表現している。
なお、他面側外フィルム３２の横波線３２ａより下方、及び紙片５の余白部分には、文字による広告情報３２ｂ・５ｄが掲載されている。
【００２５】
また、図７には、広告情報が印刷された包装材３によりティッシュペーパー２を包装して、前記開口部３ｃに紙片５が差し込まれていない状態の、ポケットティッシュ１の他面側を示している。
ポケットティッシュ１の他面側は、紙片５を差し込んでいない状態では、他面側内フィルム３３に掲載されている広告情報と、他面側外フィルム３２に掲載されている広告情報とで、一つの広告内容を構成している。
【００２６】
つまり、包装材３の他面側外フィルム３２には、ポケットティッシュ１の他面における略下半分に相当する領域のみに広告情報が掲載されているため、他面側内フィルム３３に掲載される広告情報は、ポケットティッシュ１の他面における略上半分に相当する領域のみで見ることができ、他面の略半分に相当する領域の広告情報は、他面側外フィルム３２に掲載される広告情報に隠れることとなる。
【００２７】
そして、紙片５を差し込んでいない状態のポケットティッシュ１の他面側においては、他面側外フィルム３２に掲載される広告情報と、他面側内フィルム３３に掲載される広告情報の内、他面側外フィルム３２により隠されていない部分の広告情報とで、一つの広告内容を構成している。
この、他面側外フィルム３２と他面側内フィルム３３とで構成される広告内容は、前述の他面側外フィルム３２と紙片５とで構成される広告内容とは若干異なった広告内容となっている。
【００２８】
例えば、図７に示した例では、他面側内フィルム３３には、斜めに倒れた姿勢のキャラクター３３ａ、キャラクター３３ａの足元の水しぶき３３ｂ、太陽３３ｃ等が掲載されているが、ポケットティッシュ１の他面全体としては、他面側外フィルム３２の上下略中央に位置する横波線３２ａの上方に、他面側内フィルム３３のキャラクター３３ａの上部、水しぶき３３ｂ、及び太陽３３ｃが配置されている構図となっている。
【００２９】
この他面側外フィルム３２の横波線３２ａと、他面側内フィルム３３の水しぶき３３ｂ及び太陽３３ｃとで海を表現しており、さらに他面側内フィルム３３のキャラクター３３ａを、斜横に倒れた姿勢で体の下部が横波線３２ａにより隠されている状態とすることで、キャラクター３３ａが海で泳いでいる様子を表現している。
なお、他面側内フィルム３３の余白部分には、文字による広告情報３３ｄが掲載されている。
【００３０】
このように、ポケットティッシュ１の他面側では、二重に重ねられた他面側外フィルム３２と他面側内フィルム３３との両方に広告情報を掲載しており、この両方の広告情報を用いて、他面全体として広告内容を構成している。
これにより、他面側外フィルム３２又は他面側内フィルム３３の何れか一方のみに広告情報を掲載して広告内容を構成する場合に比べて、表現に奥行きを持たせることができる。
【００３１】
また、包装材３はフィルムで構成され、柔らかいティッシュペーパー２を包んでいるので、ティッシュペーパー２を包装材３で包装した状態のポケットティッシュ１を手で持つと、包装材３が若干歪んで、他面側外フィルム３２と他面側内フィルム３３との位置関係がずれるため、他面側外フィルム３２に掲載される図柄と他面側内フィルム３３に掲載される図柄との位置関係が変化して、他面全体の広告内容に不規則な変化や動きを与えることができて、需要者の注意及び興味を引く広告効果の高い広告内容を構成することができる。
例えば、図７に示した例では、キャラクター３３ａの横波線３２ａに対する角度や、キャラクター３３ａが横波線３２ａより下方に隠れる範囲が変化して、実際にキャラクター３３ａが泳いでいる又は波に浮かんでいるような動きを表現することが可能となっている。
【００３２】
同様に、広告情報が掲載された紙片５を、他面側外フィルム３２と他面側内フィルム３３との間に差し込んで、紙片５と他面側外フィルム３２とで広告内容を構成することで、広告内容の表現に奥行きを出すことができるとともに、広告内容に不規則な変化や動きを与えることが可能となる。
また、紙片５を差し込んでいるときには、紙片５と他面側外フィルム３２とで構成した広告内容を表現でき、紙片５を抜き去ると、他面側外フィルム３２と他面側内フィルム３３とで構成した広告内容を表現することができるので、手の込んだ内容や表現豊かな内容の広告を行うことが可能となる。
【００３３】
特に、紙片５と他面側外フィルム３２とで構成した第一の広告内容と、他面側外フィルム３２と他面側内フィルム３３とで構成した第二の広告内容とを、異なる内容とすることで、ポケットティッシュ１の他面だけで、多くの情報を含んだ広告を行うことが可能となり、ポケットティッシュ１を手にした需要者に広告内容を良く理解させたり、印象付けたりすることができて、広告効果の高いポケットティッシュ１に構成することができる。
【００３４】
また、紙片５と他面側外フィルム３２とで構成した広告内容と、他面側外フィルム３２と他面側内フィルム３３とで構成した広告内容とを異なる内容としつつ、両広告内容に、互いに外観的、称呼的、及び／又は観念的に関連性を備えさせることにより、
紙片５を差し込んだ状態と抜き取った状態とで、共通のイメージを持たせながら、広告内容の表現に変化を与えることができ、表現力豊かで需要者の注意や興味を引く、広告効果の高い広告を構成することができる。
【００３５】
例えば、図６に示す、紙片５と他面側外フィルム３２とで構成した第一の広告内容と、図７に示す、他面側外フィルム３２と他面側内フィルム３３とで構成した第二の広告内容とでは、両方に夏の海といった共通のイメージを持たせつつ、第一の広告内容ではキャラクター５ｂが浜辺を歩いている様子を表現しているのに対し、第二の広告内容ではキャラクター３３ａが泳いでいる様子を表現している。
このように、両広告内容に共通のイメージを持たせながら、若干異なる内容とすることで、例えば紙片５が差し込まれている状態から紙片５を抜き取った場合に、ポケットティッシュ１を手にした需要者に違和感を与えることなく、新鮮さや驚きを与えるとともに、注意や興味を引くことができる。
【００３６】
なお、紙片５は、材質を紙に限るものではなく、広告情報が掲載された薄板状の広告媒体であればよい。該紙片５は、他面側外フィルム３２と合わせて広告内容を構成するだけでなく、単独でも広告内容を構成している。
また、包装材３の基材は、透明だけでなく、半透明でもよく、さらに色彩が附された透明・半透明でもよい。
【図面の簡単な説明】
【００３７】
【図１】本発明のポケットティッシュの構造を示す平面図である。
【図２】同じくポケットティッシュの構造を示す裏面図である。
【図３】同じくポケットティッシュの構造を示す斜視断面図である。
【図４】広告情報が印刷された包装材を示す展開図である。
【図５】広告情報が印刷された紙片を示す斜視図である。
【図６】他面側外フィルムと他面側内フィルムとの間に紙片を差し込んだ状態の、ポケットティッシュの他面側を示す図である。
【図７】他面側外フィルムと他面側内フィルムとの間から紙片を抜き取った状態の、ポケットティッシュの他面側を示す図である。
【符号の説明】
【００３８】
１  ポケットティッシュ
２  ティッシュペーパー
３  包装材
３ｃ  開口部
３１  一面側フィルム
３２  他面側外フィルム
３３  他面側内フィルム
【図１】
2005065962.tif 000003
【図２】
2005065962.tif 000004
【図３】
2005065962.tif 000005
【図４】
2005065962.tif 000006
【図５】
2005065962.tif 000007
【図６】
2005065962.tif 000008
【図７】
2005065962.tif 000009